(57)【要約】【課題】放電灯の黒化を抑制し、電極間距離を一定の距離に保持し、放電灯を駆動することができる光源装置、放電灯の駆動方法およびプロジェクターを提供すること。【解決手段】光源装置１は、発光容器５１１、１対の電極６１０、７１０を有する放電灯５００と、１対の電極６１０、７１０に駆動電流を供給する駆動装置２００と、冷却手段５と、制御手段と、１対の電極６１０、７１０の電極間距離の単位時間当たりの変化量を検出する検出手段とを有し、駆動装置２００は、第１の交流電流供給区間と、第２の交流電流供給区間とを交互に繰り返すよう構成されており、制御手段は、第１の交流電流供給区間における電極間距離の単位時間当たりの変化量の平均値の絶対値｜Ｖ１｜が、第２の交流電流供給区間における電極間距離の単位時間当たりの変化量の平均値の絶対値｜Ｖ２｜よりも大きくなった場合、冷却手段５による発光容器５１１の冷却の度合いを増大させる。【選択図】図１
2013125698.tif 000002
【特許請求の範囲】
【請求項１】
放電媒体が封入された空洞部を含む発光容器、端部が前記空洞部内で対向して配置される１対の電極、とを有する放電灯と、
前記１対の電極に駆動電流を供給する駆動装置と、
前記発光容器を冷却する冷却手段と、
前記冷却手段の作動を制御する制御手段と、
前記１対の電極の電極間距離の単位時間当たりの変化量を検出する検出手段と、を有し、
前記駆動装置は、周波数が１ｋＨｚよりも大きい第１の交流電流を前記１対の電極に供給する第１の交流電流供給区間と、第１の交流電流供給区間の期間よりも短く、周波数が１ｋＨｚ以下の第２の交流電流を前記１対の電極に供給する第２の交流電流供給区間とを交互に繰り返すよう構成されており、
前記制御手段は、前記第１の交流電流供給区間における前記１対の電極の電極間距離の単位時間当たりの変化量の平均値の絶対値｜Ｖ１｜が、前記第２の交流電流供給区間における前記１対の電極の電極間距離の単位時間当たりの変化量の平均値の絶対値｜Ｖ２｜よりも大きくなった場合、前記冷却手段による前記発光容器の冷却の度合いを増大させるよう構成されていることを特徴とする光源装置。
【請求項２】
前記冷却手段は、送風機を有し、
前記制御手段は、前記｜Ｖ１｜が前記｜Ｖ２｜よりも大きくなった場合、前記送風機の風量を増大させるよう構成されている請求項１に記載の光源装置。
【請求項３】
前記第１の交流電流供給区間の期間をA、前記第２の交流電流供給区間の期間をBとしたとき、A／Bが２以上に設定されている請求項１または２に記載の光源装置。
【請求項４】
前記第１の交流電流供給区間においては、前記第１の交流電流の振幅を経時的に減少させる請求項１ないし３のいずれかに記載の光源装置。
【請求項５】
前記第２の交流電流供給区間においては、前記第２の交流電流の振幅を経時的に増大させる請求項１ないし４のいずれかに記載の光源装置。
【請求項６】
前記第１の交流電流の波形は、矩形状をなしている請求項１ないし５のいずれかに記載の光源装置。
【請求項７】
前記第２の交流電流の波形は、矩形状をなしている請求項１ないし６のいずれかに記載の光源装置。
【請求項８】
前記第１の交流電流を供給することにより、前記放電灯の黒化を抑制する請求項１ないし７のいずれかに記載の光源装置。
【請求項９】
前記第２の交流電流を供給することにより、前記１対の電極の電極間距離を減少させる請求項１ないし８のいずれかに記載の光源装置。
【請求項１０】
前記第１の交流電流供給区間での前記第１の交流電流の振幅の平均値と、前記第２の交流電流供給区間での前記第２の交流電流の振幅の平均値とは、同じである請求項１ないし９のいずれかに記載の光源装置。
【請求項１１】
前記１対の電極の電極間電圧の上限値および下限値が設定されており、前記上限値と前記下限値との差は、１５V以下である請求項１ないし１０のいずれかに記載の光源装置。
【請求項１２】
放電媒質が封入された空洞部を含む発光容器、端部が前記空洞部内で対向して配置される１対の電極、を有する放電灯の駆動方法であって、
前記発光容器を冷却しつつ、周波数が１ｋＨｚよりも大きい第１の交流電流を前記１対の電極に供給する第１の交流電流供給区間と、第１の交流電流供給区間の期間よりも短く、周波数が１ｋＨｚ以下の第２の交流電流を前記１対の電極に供給する第２の交流電流供給区間とを交互に繰り返す駆動電流を生成し、前記駆動電流を前記１対の電極に供給し、
前記第１の交流電流供給区間における前記１対の電極の電極間距離の単位時間当たりの変化量の平均値の絶対値｜Ｖ１｜が、前記第２の交流電流供給区間における前記１対の電極の電極間距離の単位時間当たりの変化量の平均値の絶対値｜Ｖ２｜よりも大きくなった場合、前記発光容器の冷却の度合いを増大させることを特徴とする放電灯の駆動方法。
【請求項１３】
光を出射する光源装置と、
前記光源装置から出射した光を画像情報に基づいて変調する変調装置と、
前記変調装置により変調された光を投射する投射装置と、を有し、
前記光源装置は、放電媒体が封入された空洞部を含む発光容器、端部が前記空洞部内で対向して配置される１対の電極、とを有する放電灯と、
前記１対の電極に駆動電流を供給する駆動装置と、
前記発光容器を冷却する冷却手段と、
前記冷却手段の作動を制御する制御手段と、
前記１対の電極の電極間距離の単位時間当たりの変化量を検出する検出手段と、を有し、
前記駆動装置は、周波数が１ｋＨｚよりも大きい第１の交流電流を前記１対の電極に供給する第１の交流電流供給区間と、第１の交流電流供給区間の期間よりも短く、周波数が１ｋＨｚ以下の第２の交流電流を前記１対の電極に供給する第２の交流電流供給区間とを交互に繰り返すよう構成されており、
前記制御手段は、前記第１の交流電流供給区間における前記１対の電極の電極間距離の単位時間当たりの変化量の平均値の絶対値｜Ｖ１｜が、前記第２の交流電流供給区間における前記１対の電極の電極間距離の単位時間当たりの変化量の平均値の絶対値｜Ｖ２｜よりも大きくなった場合、前記冷却手段による前記発光容器の冷却の度合いを増大させるよう構成されていることを特徴とするプロジェクター。
【発明の詳細な説明】
【技術分野】
【０００１】
本発明は、光源装置、放電灯の駆動方法およびプロジェクターに関するものである。
【背景技術】
【０００２】
プロジェクターの光源として、高圧水銀ランプやメタルハライドランプ等の放電灯（放電ランプ）が使用されており、その放電灯は、通常、冷却用のファン等を用いて冷却しつつ駆動する（例えば、特許文献１参照）。
このような放電灯は、例えば、高周波数の交流電流を駆動電流として供給する駆動方法により駆動される（例えば、特許文献２参照）。この駆動方法によれば、放電の安定性が得られ、放電灯本体の黒化や失透等を防止することができ、放電灯の寿命の低下を抑制することができる。
【０００３】
しかしながら、この駆動方法では、放電灯が点灯している際は、１対の電極間にアーク放電が生じており、その電極が高温になっているので、電極が溶融し、電極間が広がってくる。
例えば、プロジェクターの用途では、光の利用効率を向上させるために、電極間が狭い状態を維持し、発光の大きさを小さくすることが好ましい。点灯中に電極間が広がることは、光の利用効率を低下させることになり、好ましくない。また、電極間の変化は、その電極間におけるインピーダンスを変化させる。このため、点灯初期では効率良く放電灯を点灯することができていても、時間が経過すると、インピーダンス不整合を生じる。その結果、無効電力が増加し、効率が低下するという問題がある。
【０００４】
一方、低周波数で、波形が矩形状をなす交流電流（直流交番電流）を駆動電流として供給する駆動方法もある（例えば、特許文献３参照）。この駆動方法によれば、放電灯が点灯している際、１対の電極の先端部に突起が形成され、これにより、電極間が狭い状態を維持することができる。
しかしながら、この駆動方法では、放電灯本体の黒化や失透等が生じ、放電灯の寿命が低下するという問題がある。
【先行技術文献】
【特許文献】
【０００５】
【特許文献１】特開２０１０−１１３９７９号公報
【特許文献２】特開２００７−１１５５３４号公報
【特許文献３】特開２０１０−１１４０６４号公報
【発明の概要】
【発明が解決しようとする課題】
【０００６】
本発明の目的は、放電灯の黒化を抑制し、電極間距離を一定の距離に保持し、放電灯を駆動することができる光源装置、放電灯の駆動方法およびプロジェクターを提供することにある。
【課題を解決するための手段】
【０００７】
このような目的は、下記の本発明により達成される。
本発明の光源装置は、放電媒体が封入された空洞部を含む発光容器、端部が前記空洞部内で対向して配置される１対の電極、とを有する放電灯と、
前記１対の電極に駆動電流を供給する駆動装置と、
前記発光容器を冷却する冷却手段と、
前記冷却手段の作動を制御する制御手段と、
前記１対の電極の電極間距離の単位時間当たりの変化量を検出する検出手段と、を有し、
前記駆動装置は、周波数が１ｋＨｚよりも大きい第１の交流電流を前記１対の電極に供給する第１の交流電流供給区間と、第１の交流電流供給区間の期間よりも短く、周波数が１ｋＨｚ以下の第２の交流電流を前記１対の電極に供給する第２の交流電流供給区間とを交互に繰り返すよう構成されており、
前記制御手段は、前記第１の交流電流供給区間における前記１対の電極の電極間距離の単位時間当たりの変化量の平均値の絶対値｜Ｖ１｜が、前記第２の交流電流供給区間における前記１対の電極の電極間距離の単位時間当たりの変化量の平均値の絶対値｜Ｖ２｜よりも大きくなった場合、前記冷却手段による前記発光容器の冷却の度合いを増大させるよう構成されていることを特徴とする。
【０００８】
これにより、第１の交流電流供給区間では、放電灯の黒化を抑制し、また、後述する第２の交流電流供給区間において黒化した放電灯のその黒化を回復させることができる。
一方、第２の交流電流供給区間では、１対の電極の先端部に突起が形成され、その突起が大きくなり、これにより、第１の交流電流供給区間において広がった１対の電極の電極間距離を狭くすることができる。
【０００９】
このような第１の交流電流供給区間と第２の交流電流供給区間とを交互に繰り返すことにより、放電灯の黒化を抑制し、１対の電極の電極間距離を一定の距離に保持し、放電灯を駆動することができる。
また、｜Ｖ１｜が｜Ｖ２｜よりも大きくなった場合、冷却手段による発光容器の冷却の度合いを増大させるので、第２の交流電流供給区間において、確実に、１対の電極の電極間距離が予め設定された下限値になるまで突起を大きくすることができる。
【００１０】
本発明の光源装置では、前記冷却手段は、送風機を有し、
前記制御手段は、前記｜Ｖ１｜が前記｜Ｖ２｜よりも大きくなった場合、前記送風機の風量を増大させるよう構成されていることが好ましい。
これにより、容易かつ確実に、発光容器を冷却することができる。
本発明の光源装置では、前記第１の交流電流供給区間の期間をA、前記第２の交流電流供給区間の期間をBとしたとき、A／Bが２以上に設定されていることが好ましい。
これにより、より確実に、放電灯の黒化を抑制し、１対の電極の電極間距離を一定の距離に保持することができる。
【００１１】
本発明の光源装置では、前記第１の交流電流供給区間においては、前記第１の交流電流の振幅を経時的に減少させることが好ましい。
これにより、光量の変動を抑制することができる。
本発明の光源装置では、前記第２の交流電流供給区間においては、前記第２の交流電流の振幅を経時的に増大させることが好ましい。
これにより、光量の変動を抑制することができる。
【００１２】
本発明の光源装置では、前記第１の交流電流の波形は、矩形状をなしていることが好ましい。
これにより、より確実に、放電灯の黒化を抑制することができる。
本発明の光源装置では、前記第２の交流電流の波形は、矩形状をなしていることが好ましい。
これにより、より確実に、放電灯の黒化を抑制することができる。
【００１３】
本発明の光源装置では、前記第１の交流電流を供給することにより、前記放電灯の黒化を抑制することが好ましい。
これにより、放電灯の黒化を抑制することができる。
本発明の光源装置では、前記第２の交流電流を供給することにより、前記１対の電極の電極間距離を減少させることが好ましい。
これにより、第１の交流電流供給区間において広がった１対の電極の電極間距離を狭くすることができ、その電極間距離を一定の距離に保持することができる。
【００１４】
本発明の光源装置では、前記第１の交流電流供給区間での前記第１の交流電流の振幅の平均値と、前記第２の交流電流供給区間での前記第２の交流電流の振幅の平均値とは、同じであることが好ましい。
これにより、第１の交流電流供給区間における光量と、第２の交流電流供給区間における光量とを同じにすることができる。
本発明の光源装置では、前記１対の電極の電極間電圧の上限値および下限値が設定されており、前記上限値と前記下限値との差は、１５V以下であることが好ましい。
これにより、光量の変動を抑制することができる。
【００１５】
本発明の放電灯の駆動方法は、放電媒質が封入された空洞部を含む発光容器、端部が前記空洞部内で対向して配置される１対の電極、を有する放電灯の駆動方法であって、
前記発光容器を冷却しつつ、周波数が１ｋＨｚよりも大きい第１の交流電流を前記１対の電極に供給する第１の交流電流供給区間と、第１の交流電流供給区間の期間よりも短く、周波数が１ｋＨｚ以下の第２の交流電流を前記１対の電極に供給する第２の交流電流供給区間とを交互に繰り返す駆動電流を生成し、前記駆動電流を前記１対の電極に供給し、
前記第１の交流電流供給区間における前記１対の電極の電極間距離の単位時間当たりの変化量の平均値の絶対値｜Ｖ１｜が、前記第２の交流電流供給区間における前記１対の電極の電極間距離の単位時間当たりの変化量の平均値の絶対値｜Ｖ２｜よりも大きくなった場合、前記発光容器の冷却の度合いを増大させることを特徴とする。
【００１６】
これにより、放電灯の黒化を抑制し、１対の電極の電極間距離を一定の距離に保持し、放電灯を駆動することができる。
また、｜Ｖ１｜が｜Ｖ２｜よりも大きくなった場合、発光容器の冷却の度合いを増大させるので、第２の交流電流供給区間において、確実に、１対の電極の電極間距離が予め設定された下限値になるまで突起を大きくすることができる。
【００１７】
本発明のプロジェクターは、光を出射する光源装置と、
前記光源装置から出射した光を画像情報に基づいて変調する変調装置と、
前記変調装置により変調された光を投射する投射装置と、を有し、
前記光源装置は、放電媒体が封入された空洞部を含む発光容器、端部が前記空洞部内で対向して配置される１対の電極、とを有する放電灯と、
前記１対の電極に駆動電流を供給する駆動装置と、
前記発光容器を冷却する冷却手段と、
前記冷却手段の作動を制御する制御手段と、
前記１対の電極の電極間距離の単位時間当たりの変化量を検出する検出手段と、を有し、
前記駆動装置は、周波数が１ｋＨｚよりも大きい第１の交流電流を前記１対の電極に供給する第１の交流電流供給区間と、第１の交流電流供給区間の期間よりも短く、周波数が１ｋＨｚ以下の第２の交流電流を前記１対の電極に供給する第２の交流電流供給区間とを交互に繰り返すよう構成されており、
前記制御手段は、前記第１の交流電流供給区間における前記１対の電極の電極間距離の単位時間当たりの変化量の平均値の絶対値｜Ｖ１｜が、前記第２の交流電流供給区間における前記１対の電極の電極間距離の単位時間当たりの変化量の平均値の絶対値｜Ｖ２｜よりも大きくなった場合、前記冷却手段による前記発光容器の冷却の度合いを増大させるよう構成されていることを特徴とする。
【００１８】
これにより、放電灯の黒化を抑制し、１対の電極の電極間距離を一定の距離に保持し、放電灯を駆動することができ、これによって、消費電力を低減でき、また、安定した良好な画像を表示することができる。
また、｜Ｖ１｜が｜Ｖ２｜よりも大きくなった場合、冷却手段による発光容器の冷却の度合いを増大させるので、第２の交流電流供給区間において、確実に、１対の電極の電極間距離が予め設定された下限値になるまで突起を大きくすることができ、効率良く、安定した良好な画像を表示することができる。
【図面の簡単な説明】
【００１９】
【図１】本発明の光源装置の実施形態を示す断面図（ブロック図も含まれる）である。
【図２】図１に示す光源装置の放電灯を示す断面図である。
【図３】図１に示す光源装置を示すブロック図である。
【図４】図１に示す光源装置の駆動電流を示す図である。
【図５】図１に示す光源装置の電極間電圧の絶対値を示す図である。
【図６】図１に示す光源装置の制御動作を示すフローチャートである。
【図７】本発明のプロジェクターの実施形態を摸式的に示す図である。
【発明を実施するための形態】
【００２０】
以下、本発明の光源装置、放電灯の駆動方法およびプロジェクターを添付図面に示す好適な実施形態に基づいて詳細に説明する。
＜光源装置＞
図１は、本発明の光源装置の実施形態を示す断面図（ブロック図も含まれる）、図２は、図１に示す光源装置の放電灯を示す断面図、図３は、図１に示す光源装置を示すブロック図、図４は、図１に示す光源装置の駆動電流を示す図、図５は、図１に示す光源装置の電極間電圧の絶対値を示す図、図６は、図１に示す光源装置の制御動作を示すフローチャートである。なお、図２では、副反射鏡の図示は省略されている。
【００２１】
図１および図３に示すように、光源装置１は、放電灯５００を有する光源ユニット１１０と、放電灯５００を駆動する放電灯駆動装置（駆動装置）２００と、検出器（電極間距離検出部）３５と、冷却手段５とを備えている。放電灯５００は、放電灯駆動装置２００から電力の供給を受けて放電し、光を放射する。
光源ユニット１１０は、放電灯５００と、凹状の反射面を有する主反射鏡１１２と、出射光をほぼ平行光にする平行化レンズ１１４とを備えている。主反射鏡１１２と放電灯５００とは、無機接着剤１１６により接着されている。また、主反射鏡１１２は、放電灯５００側の面（内面）が反射面となっており、この反射面は、図示の構成では、回転楕円面をなしている。
なお、主反射鏡１１２の反射面の形状は、前記の形状には限定されず、その他、例えば、回転放物面等が挙げられる。また、主反射鏡１１２の反射面が回転放物面である場合は、放電灯５００の発光部を回転放物面のいわゆる焦点に配置すれば、平行化レンズ１１４を省略することができる。
【００２２】
放電灯５００は、放電灯本体５１０と、凹状の反射面を有する副反射鏡５２０とを備えている。放電灯本体５１０と副反射鏡５２０とは、無機接着剤５２２により接着されている。また、副反射鏡５２０は、放電灯５００側の面（内面）が反射面となっており、この反射面は、図示の構成では、球面をなしている。
放電灯本体５１０の中央部には、後述の放電媒体が封入され、気密的に密閉された放電空間（空洞部）５１２を含む発光容器５１１が形成されている。この放電灯本体５１０の少なくとも放電空間５１２に対応する部位は、光透過性を有している。放電灯本体５１０の構成材料としては、例えば、石英ガラス等のガラス、光透過性セラミックス等が挙げられる。
【００２３】
この放電灯本体５１０には、１対の電極６１０、７１０と、１対の導電性を有する接続部材６２０、７２０と、１対の電極端子６３０、７３０とが設けられている。電極６１０と電極端子６３０とは、接続部材６２０により電気的に接続されている。同様に、電極７１０と電極端子７３０とは、接続部材７２０により電気的に接続されている。
各電極６１０、７１０は、放電空間５１２に収納されている。すなわち、各電極６１０、７１０は、その先端部が放電灯本体５１０の放電空間５１２において、互いに所定距離離間し、互いに対向するように配置されている。
電極６１０と電極７１０との間の最短距離である電極間距離は、１μｍ以上５ｍｍ以下であることが好ましく、０．５ｍｍ以上１．５ｍｍ以下であることがより好ましい。
【００２４】
図２に示すように、前記電極６１０は、芯棒６１２と、コイル部６１４と、本体部６１６とを有している。この電極６１０は、放電灯本体５１０内への封入前の段階において、芯棒６１２に電極材（タングステン等）の線材を巻き付けてコイル部６１４を形成し、形成されたコイル部６１４を加熱・溶融することにより形成される。これにより、電極６１０の先端側には、熱容量が大きい本体部６１６が形成される。電極７１０も前記電極６１０と同様に、芯棒７１２と、コイル部７１４と、本体部７１６とを有しており、電極６１０と同様に形成される。
【００２５】
放電灯５００を１度も点灯させていない状態では、本体部６１６、７１６には、突起６１８、７１８は形成されていないが、後述する条件で放電灯５００を１度でも点灯させると、本体部６１６、７１６の先端部に、それぞれ突起６１８、７１８が形成される。この突起６１８、７１８は、放電灯５００の点灯中、維持され、また、消灯後も維持される。
なお、各電極６１０、７１０の構成材料としては、例えば、タングステン等の高融点金属材料等が挙げられる。
【００２６】
また、放電空間５１２には、放電媒体が封入されている。放電媒体は、例えば、放電開始用ガス、発光に寄与するガス等を含んでいる。また、放電媒体には、その他のガスが含まれていてもよい。
放電開始用ガスとしては、例えば、ネオン、アルゴン、キセノン等の希ガス等が挙げられる。また、発光に寄与するガスとしては、例えば、水銀、ハロゲン化金属の気化物等が挙げられる。また、その他のガスとしては、例えば、黒化を防止する機能を有するガス等が挙げられる。黒化を防止する機能を有するガスとしては、例えば、ハロゲン（例えば、臭素等）、ハロゲン化合物（例えば、臭化水素等）、またはこれらの気化物等が挙げられる。
また、放電灯点灯時の放電灯本体５１０内の気圧は、０．１ａｔｍ以上３００ａｔｍ以下であることが好ましく、５０ａｔｍ以上３００ａｔｍ以下であることがより好ましい。
【００２７】
放電灯５００の電極端子６３０、７３０は、それぞれ放電灯駆動装置２００の出力端子に接続されている。そして、放電灯駆動装置２００は、放電灯５００に高周波数の交流電流（交流電力）を含む駆動電流（駆動電力）を供給する。すなわち、放電灯駆動装置２００は、電極端子６３０、７３０を介して電極６１０、７１０に上記の駆動電流を供給することにより放電灯５００に電力を供給する。電極６１０、７１０に上記の駆動電流が供給されると、放電空間５１２内の１対の電極６１０、７１０の先端部の間でアーク放電（アークＡＲ）が生じる。アーク放電により発生した光（放電光）は、そのアークＡＲの発生位置（放電位置）から全方向に向かって放射される。副反射鏡５２０は、一方の電極７１０の方向に放射される光を、主反射鏡１１２に向かって反射する。このように、電極７１０の方向に放射される光を主反射鏡１１２に向かって反射することにより、電極７１０の方向に放射される光を有効に利用することができる。なお、本実施形態において、放電灯５００は副反射鏡５２０を備えているが、放電灯５００は副反射鏡５２０を備えていない構成であってもよい。
【００２８】
次に、放電灯駆動装置２００、検出器３５および冷却手段５について説明する。
図３に示すように、放電灯駆動装置２００は、直流電流を発生する直流電流発生器３１と、直流電流発生器３１から出力された直流電流の正負の極性を切り替える極性切替器３２と、制御部（制御手段）３３とを備えており、極性切替器３２により直流電流の極性を切り替えて所定の周波数の交流電流（直流交番電流）を生成し、その交流電流を駆動電流として放電灯５００の１対の電極６１０、７１０に供給する装置である。なお、直流電流発生器３１、極性切替器３２および制御部３３により、第１の交流電流供給部および第２の交流電流供給部が構成される。
【００２９】
制御部３３は、直流電流発生器３１および極性切替器３２等、放電灯駆動装置２００全体の作動と、後述する冷却手段５の作動とをそれぞれ制御する。直流電流発生器３１は、その出力である電流値を調整し得るものであり、制御部３３の制御により、直流電流発生器３１の電流値が調整される。また、制御部３３の制御により、極性切替器３２における直流電流の極性の切り替えのタイミングが調整される。
【００３０】
また、放電灯駆動装置２００の出力側（放電灯５００と放電灯駆動装置２００との間）に別途設けられた後述する検出器（電極間距離検出部）３５の検出結果が、制御部３３に入力される。なお、本実施形態では、検出器３５は、放電灯駆動装置２００と別に設けられているが、放電灯駆動装置２００に組み込まれる構成であってもよい。また、図示しない増幅器が、例えば、極性切替器３２の後段、すなわち極性切替器３２と検出器３５との間等に設けられていてもよい。
【００３１】
図１に示すように、冷却手段５は、放電灯５００の発光容器５１１を冷却する装置であり、本実施形態では、送風機（冷却ファン）５１と、ノズル５３と、送風機５１とノズル５３とを接続するチューブ５２とを有している。ノズル５３は、発光容器５１１の近傍に、ノズル５３の突出口が発光容器５１１側に向くように配置されている。送風機５１から送出された空気は、チューブ５２内を流れ、ノズル５３から発光容器５１１に吹き付けられる。これにより、発光容器５１１が冷却される。なお、送風機５１の作動は、放電灯駆動装置２００の制御部３３により制御される。
【００３２】
図４および図５に示すように、この放電灯駆動装置２００では、第１の交流電流（高周波数の交流電流）を生成して１対の電極６１０、７１０に供給する第１の交流電流供給区間４１と、第１の交流電流よりも周波数の低い第２の交流電流（低周波数の交流電流）を生成して１対の電極６１０、７１０に供給する第２の交流電流供給区間４２とが交互に繰り返されるように、直流電流発生器３１で発生した直流電流の極性を極性切替器３２で切り替える。すなわち、第１の交流電流供給区間４１と第２の交流電流供給区間４２とを交互に繰り返してなる放電灯駆動用の駆動電流である交流電流を生成し、出力する。放電灯駆動装置２００から出力された駆動電流は、放電灯５００の１対の電極６１０、７１０に供給される。
これにより、前述したように、１対の電極６１０、７１０の先端部の間でアーク放電が生じ、放電灯５００が点灯する。また、放電灯５００の点灯中は、送風機５１が作動し、ノズル５３から発光容器５１１に空気が吹き付けられ、発光容器５１１が冷却される。
【００３３】
ここで、この光源装置１では、後述する条件の駆動電流を用いて放電灯５００を点灯するので、その放電灯５００が点灯している際、電極６１０、７１０の温度が変動し、その変動により、電極６１０、７１０の先端部に、それぞれ突起６１８、７１８が形成され、その突起６１８、７１８を維持することができ、また、放電灯５００の黒化を防止でき、長寿命化を図ることができる。
【００３４】
すなわち、第２の交流電流供給区間４２では、後述する第２の交流電流を電極６１０、７１０に供給するので、電極６１０、７１０の先端部に突起６１８、７１８が形成され、その突起６１８、７１８が大きくなり、これにより、後述する第１の交流電流供給区間４１において広がった１対の電極６１０、７１０の電極間距離を狭くする（減少させる）ことができる。
【００３５】
具体的には、第２の交流電流供給区間４２において、まず、第２の交流電流の極性が正の区間では、それぞれ、電極６１０、７１０の温度が高くなることで、電極６１０、７１０の先端部の一部が、溶融し、その溶融した電極材が表面張力によって電極６１０、７１０の先端部に集まる。一方、第２の交流電流の極性が負の区間では、それぞれ、電極６１０、７１０の温度が低くなることで、前記溶融した電極材が凝固する。このような溶融した電極材が電極６１０、７１０の先端部に集まる状態と、前記溶融した電極材が凝固する状態とを繰り返すことで突起６１８、７１８の成長が起こる。
【００３６】
そして、後述するように、第１の交流電流供給区間４１と第２の交流電流供給区間４２とを切り替えて、電極間距離を所定範囲内に規制することにより、電極間距離が広がることを抑制することができ、電極間が狭い状態を維持することができる。これにより、放電灯５００を効率良く駆動することができる。
但し、第２の交流電流供給区間４２では、放電灯５００が黒化する。
【００３７】
一方、第１の交流電流供給区間４１では、後述する第１の交流電流を電極６１０、７１０に供給するので、放電灯５００の黒化を抑制し、また、第２の交流電流供給区間４２において黒化した放電灯５００のその黒化を回復させることができる。
但し、第１の交流電流供給区間４１では、第２の交流電流供給区間４２において電極６１０、７１０の先端部に形成された突起６１８、７１８が小さくなり、これにより電極間距離が広がってゆく。
このような第１の交流電流供給区間４１と第２の交流電流供給区間４２とを交互に繰り返すことにより、放電灯５００の黒化を抑制し、電極間距離を一定の距離に保持し、放電灯５００を駆動することができる。
【００３８】
ここで、放電灯５００の定格電力は、用途等に応じて適宜設定され、特に限定されないが、１０Ｗ以上５ｋＷ以下であることが好ましく、１００Ｗ以上５００Ｗ以下であることがより好ましい。
また、第１の交流電流の周波数は、１ｋＨｚよりも大きい。そして、第１の交流電流の周波数は、１ｋＨｚよりも大きく１０GＨｚ以下であることが好ましく、１ｋＨｚよりも大きく１００ｋＨｚ以下、または、３ＭＨｚ以上１０ＧＨｚ以下であることがより好ましく、３ｋＨｚ以上１００ｋＨｚ以下、または、３ＭＨｚ以上３ＧＨｚ以下であることがさらに好ましく、５ｋＨｚ以上１００ｋＨｚ以下、または、３ＭＨｚ以上３ＧＨｚ以下であることが特に好ましい。そして、さらに言えば、第１の交流電流の周波数は、３ｋＨｚ以上１００ｋＨｚ以下であることが好ましく、５ｋＨｚ以上１００ｋＨｚ以下であることがより好ましい。
【００３９】
電極６１０、７１０が陽極として動作するときは、それぞれ、陰極として動作するときに比べて電極温度が高くなるが、第１の交流電流の周波数を１ｋＨｚよりも大きく設定することにより、その第１の交流電流の１周期内における電極温度の変動を防止することができ、放電灯５００の黒化を抑制し、また、第２の交流電流供給区間４２において黒化した放電灯５００のその黒化を回復させることができる。
【００４０】
しかし、第１の交流電流の周波数が１ｋＨｚ以下であると、その第１の交流電流の１周期毎に、電極６１０、７１０の温度が変動し、放電灯５００が黒化する。
また、第１の交流電流の周波数が１０GＨｚよりも大きいものは、コストが高くなる。
また、第１の交流電流の周波数が１００ｋＨｚよりも大きく、３ＭＨｚよりも小さいと、他の条件によっては、音響共鳴効果により放電が不安定となる。
【００４１】
第２の交流電流の周波数は、１ｋＨｚ以下である。そして、第２の交流電流の周波数は、５００Ｈｚ以下であることが好ましく、１０Ｈｚ以上５００Ｈｚ以下であることがより好ましく、３０Ｈｚ以上３００Ｈｚ以下であることがさらに好ましい。
第２の交流電流の周波数が前記上限値を超えると、突起６１８、７１８が形成されない。また、第２の交流電流の周波数が前記下限値よりも小さいと、他の条件によっては、突起６１８、７１８が溶解して潰れてしまい、また、黒化がより生じ易くなる。
【００４２】
また、第１の交流電流供給区間４１の期間は、第２の交流電流供給区間４２の期間よりも長く設定されている。すなわち、第１の交流電流供給区間４１の期間をA、第２の交流電流供給区間４２の期間をBとしたとき、A／Bは、１より大きく設定されており、２以上に設定されていることが好ましい。これにより、より確実に、放電灯５００の黒化を抑制することができる。
【００４３】
また、A／Bは、１より大きく５０以下に設定されていることが好ましく、２以上５０以下に設定されていることがより好ましく、２以上５以下に設定されていることがさらに好ましい。これにより、放電灯５００の黒化の抑制と、電極間距離を一定にすることの両立を図ることができ、特に、より確実に、放電灯５００の黒化を抑制することができる。
なお、第２の交流電流供給区間４２の期間が第１の交流電流供給区間４１の期間よりも長くてもよく、また、第１の交流電流供給区間４１の期間と第２の交流電流供給区間４２の期間とが同じであってもよい。
【００４４】
また、期間Aは、１０分以上３時間以下であることが好ましく、１０分以上１時間以下であることがより好ましい。これにより、より確実に、放電灯５００の黒化を抑制し、第２の交流電流供給区間４２において黒化した放電灯５００のその黒化を回復させることができる。
また、期間Bは、１分以上６０分以下であることが好ましく、１分以上１０分以下であることがより好ましい。これにより、より確実に、電極間距離を一定の距離に保持することができる。
【００４５】
また、第１の交流電流供給区間４１においては、第１の交流電流の振幅を経時的に漸次減少させる。すなわち、第１の交流電流供給区間４１では、突起６１８、７１８が小さくなり、電極間距離が増大して、電極間電圧（電極間電圧の絶対値）が経時的に漸次増大するので、放電灯５００に供給する電力が一定になるように、第１の交流電流の振幅を経時的に漸次減少させる。これにより、光量を一定にすることができる。
【００４６】
逆に、第２の交流電流供給区間４２においては、第２の交流電流の振幅を経時的に漸次増大させる。すなわち、第２の交流電流供給区間４２では、突起６１８、７１８が大きくなり、電極間距離が減少して、電極間電圧（電極間電圧の絶対値）が経時的に漸次減少するので、放電灯５００に供給する電力が一定になるように、第２の交流電流の振幅を経時的に漸次増大させる。これにより、光量を一定にすることができる。
また、第１の交流電流および第１の交流電流の波形は、それぞれ、矩形状（矩形波）をなしている。これにより、より確実に、放電灯５００の黒化を抑制することができる。
なお、第１の交流電流および第１の交流電流の波形は、それぞれ、矩形状に限定されず、例えば、波状等であってもよい。
【００４７】
また、第１の交流電流の周期をａ１、区間４３の期間をｂ１したとき、その周期ａ１と期間ｂ１の比ｂ１／ａ１（デューティー比）は、１０％以上９０％以下であることが好ましく、２０％以上８０％以下であることがより好ましく、５０％であることがさらに好ましい。
また、第２の交流電流の周期をａ２、区間４４の期間をｂ２したとき、その周期ａ２と期間ｂ２の比ｂ２／ａ２（デューティー比）は、１０％以上９０％以下であることが好ましく、２０％以上８０％以下であることがより好ましく、５０％であることがさらに好ましい。これにより、電極６１０、７１０に、互いに対称に突起６１８、７１８を形成することができる。
また、第１の交流電流供給区間４１における光量と、第２の交流電流供給区間４２における光量とを同じにする場合は、第１の交流電流供給区間４１での第１の交流電流の大きさの平均値と、第２の交流電流供給区間４２での第２の交流電流の大きさの平均値とは、同じ値に設定される。
【００４８】
また、光源装置１の検出器３５としては、本実施形態では、電圧計を用いる。そして、その検出器３５により、放電灯５００の１対の電極６１０、７１０の電極間電圧を検出し、後述するように、検出された電極間電圧を放電灯５００の駆動制御に利用する。この電極間電圧は、電極間距離に対応する値である。したがって、前記電極間電圧を求めることにより、電極間距離を間接的に求めたこととなる。同様に、電極間電圧の単位時間当たりの変化量は、電極間距離の単位時間当たりの変化量に対応する値である。したがって、前記電極間電圧の単位時間当たりの変化量を求めることにより、電極間距離の単位時間当たりの変化量を間接的に求めたこととなる。なお、電極間電圧が大きいほど、電極間距離が長い。また、本実施形態では、電圧計で電極間電圧を測定するので、駆動電流の周波数、すなわち、第１の交流電流の周波数が、１ＭＨｚ未満の場合に適用することが好ましい。
【００４９】
この光源装置１では、放電灯５００の点灯中、前記検出器３５により、１対の電極６１０、７１０の電極間電圧を検出し、その検出された電極間電圧は、制御部３３に送出される。図５に示すように、制御部３３は、検出器３５の検出結果、すなわち、検出された電極間電圧に応じて、第１の交流電流供給区間４１と、第２の交流電流供給区間４２とを切り替える。すなわち、電極間電圧の絶対値が許容範囲の上限値になると、第１の交流電流供給区間４１から第２の交流電流供給区間４２に変更し、電極間電圧の絶対値が許容範囲の下限値になると、第２の交流電流供給区間４２から第１の交流電流供給区間４１に変更する。これにより、電極間距離を所定の許容範囲内に制限することができる。
【００５０】
また、電極間電圧の絶対値の許容範囲の上限値および下限値は、特に限定されず、諸条件に応じて適宜設定されるが、その上限値と下限値との差は、１５V以下であることが好ましく、１V以上１０V以下であることがより好ましく、１V以上５V以下であることがさらに好ましい。これにより、光量を一定にすることができる。
また、電極間電圧の絶対値の許容範囲の上限値および下限値は、それぞれ、放電灯５００の点灯時間に応じて調整することが好ましい。すなわち、放電灯５００の点灯時間が長いほど、突起６１８、７１８が延び難くなるので、放電灯５００の点灯時間が長いほど、電極間電圧の絶対値の許容範囲の上限値および下限値をそれぞれ増大させる。これにより、より確実に、電極間距離を一定にすることができる。
【００５１】
また、放電灯５００の点灯中、制御部３３は、検出器３５の検出結果、すなわち、検出された電極間電圧に基づいて、第１の交流電流供給区間４１における電極間距離の単位時間当たりの変化量の平均値の絶対値として、第１の交流電流供給区間４１における電極間電圧の単位時間当たりの変化量の平均値の絶対値｜Ｖ１｜と、第２の交流電流供給区間４２における電極間距離の単位時間当たりの変化量の平均値の絶対値として、第２の交流電流供給区間４２における電極間電圧の単位時間当たりの変化量の平均値の絶対値｜Ｖ２｜とを求める。この制御部３３および検出器３５により、電極間電圧（電極間距離）の単位時間当たりの変化量を検出する検出手段が構成される。また、制御部３３により、検出器３５の検出結果に基づいて電極間電圧（電極間距離）の単位時間当たりの変化量を求める演算手段が構成される。
【００５２】
そして、制御部３３は、｜Ｖ１｜と｜Ｖ２｜とを比較し、｜Ｖ１｜が｜Ｖ２｜よりも大きくなった場合、送風機５１による発光容器５１１の冷却の度合いを増大させる。その理由は、下記の通りである。なお、制御部３３により、｜Ｖ１｜と｜Ｖ２｜とを比較して｜Ｖ１｜が｜Ｖ２｜よりも大きいか否かを判別する判別手段が構成される。
まず、長時間、例えば、数百もしくは数千時間、突起６１８、７１８が第２の交流電流供給区間４２で大きくなったり、第１の交流電流供給区間４１で小さくなったりを繰り返していくうちに、電極６１０、７１０が少しずつ消耗しゆき、電極間距離、すなわち電極間電圧の絶対値がその許容範囲の下限値になるまで突起６１８、７１８を大きくすることができなくなってしまう。
【００５３】
そこで、この光源装置１では、｜Ｖ１｜が｜Ｖ２｜よりも大きくなった場合、送風機５１による発光容器５１１の冷却の度合いを増大させることにより、突起６１８、７１８の近傍におけるプラズマ密度を低下させる。これにより、電極間電圧の絶対値がその許容範囲の下限値になるまで突起６１８、７１８を成長させることができ、また、突起６１８、７１８の成長速度も増大させることができる。
【００５４】
ここで、具体的には、制御部３３は、｜Ｖ１｜が｜Ｖ２｜よりも大きくなった場合、送風機５１に印加する駆動電圧を増大させ、その送風機５１の風量、すなわちノズル５３から噴出する空気の流量を増大ささせる。
この場合、ノズル５３から噴出する空気の流量（風量）の増加量は、特に限定されず、諸条件に応じて適宜設定されるものであるが、その流量の初期値の１０％以上３０％以下であることが好ましく、２０％以上３０％以下であることがより好ましい。
また、ノズル５３から噴出する空気の流量の初期値は、特に限定されず、諸条件に応じて適宜設定されるものであるが、発光容器５１１の外壁温度が、例えば、８００℃以上１０００℃以下になるように設定されることが好ましい。
なお、前記電極間電圧、｜Ｖ１｜、｜Ｖ２｜の検出は、放電灯５００の点灯中、定期的に行われてもよく、また、不定期に行われてもよい。
【００５５】
次に、図６に基づいて、光源装置１の放電灯駆動装置２００の制御動作について説明する。
まず、送風機５１を作動させ、ノズル５３から発光容器５１１に空気を吹き付けて、発光容器５１１の冷却を開始するとともに、第１の交流電流供給区間４１に設定し、第１の交流電流を１対の電極６１０、７１０に供給し、放電灯５００を点灯する（ステップＳ１０１）。従って、突起６１８、７１８は、小さくなってゆき、電極間電圧は、漸増する。なお、前述したように、第１の交流電流は、供給する電力が一定になるように漸減させる。
次いで、電極間電圧を検出し（ステップＳ１０２）、第１の交流電流供給区間４１における電極間電圧の単位時間当たりの変化量の平均値の絶対値｜Ｖ１｜を求める（ステップＳ１０３）。
【００５６】
次いで、検出された電極間電圧の絶対値が許容範囲の上限値であるか否かを判断する（ステップＳ１０４）。
ステップＳ１０４において、電極間電圧の絶対値が上限値よりも小さい場合には、ステップＳ１０２に戻り、再度、ステップＳ１０２以降を実行する。
また、ステップＳ１０４において、電極間電圧の絶対値が上限値である場合は、第２の交流電流供給区間４２に設定し、第２の交流電流を１対の電極６１０、７１０に供給する（ステップＳ１０５）。従って、突起６１８、７１８は、大きくなってゆき、電極間電圧は、漸減する。なお、前述したように、第２の交流電流は、供給する電力が一定になるように漸増させる。
【００５７】
次いで、電極間電圧を検出し（ステップＳ１０６）、第２の交流電流供給区間４２における電極間電圧の単位時間当たりの変化量の平均値の絶対値｜Ｖ１｜を求める（ステップＳ１０７）。
次いで、｜Ｖ１｜と｜Ｖ２｜とを比較し、｜Ｖ１｜が｜Ｖ２｜よりも大きいか否かを判断する（ステップＳ１０８）。
【００５８】
ステップＳ１０８において、｜Ｖ１｜が｜Ｖ２｜以下の場合は、ノズル５３から噴出する空気の流量を変更せずに、ステップＳ１１０に進む。
また、ステップＳ１０８において、｜Ｖ１｜が｜Ｖ２｜よりも大きい場合は、ノズル５３から噴出する空気の流量を１段階増大させ（ステップＳ１０９）、ステップＳ１１０に進む。
【００５９】
次いで、検出された電極間電圧の絶対値が許容範囲の下限値であるか否かを判断する（ステップＳ１１０）。
ステップＳ１１０において、電極間電圧の絶対値が下限値よりも大きい場合には、ステップＳ１０６に戻り、再度、ステップＳ１０６以降を実行する。
また、ステップＳ１１０において、電極間電圧の絶対値が下限値である場合は、ステップＳ１０１に戻り、再度、ステップＳ１０１以降を実行する。これにより、電極間電圧の絶対値が許容範囲内に保持され、電極間距離は、許容範囲内に保持される。
以上説明したように、この光源装置１によれば、放電灯５００の黒化を抑制し、長寿命化を図ることができる。また、電極６１０、７１０に突起６１８、７１８が形成され、電極間距離を一定の距離に保持することができ、放電灯５００を効率良く駆動することができる。
【００６０】
以上、本発明の光源装置および放電灯の駆動方法を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
また、本発明では、冷却手段は、前記送風機５１を用いたものには限定されず、この他、例えば、冷却された空気等の気体を吹き付けるもの等が挙げられる。
【００６１】
＜プロジェクター＞
図７は、本発明のプロジェクターの実施形態を摸式的に示す図である。
図７に示すプロジェクター３００は、前述した光源装置１と、インテグレータレンズ３０２および３０３を有する照明光学系と、色分離光学系（導光光学系）と、赤色に対応した（赤色用の）液晶ライトバルブ８４と、緑色に対応した（緑色用の）液晶ライトバルブ８５と、青色に対応した（青色用の）液晶ライトバルブ８６と、赤色光のみを反射するダイクロイックミラー面８１１および青色光のみを反射するダイクロイックミラー面８１２が形成されたダイクロイックプリズム（色合成光学系）８１と、投射レンズ（投射光学系）８２とを備えている。
【００６２】
色分離光学系は、ミラー３０４、３０６、３０９、青色光および緑色光を反射する（赤色光のみを透過する）ダイクロイックミラー３０５、緑色光のみを反射するダイクロイックミラー３０７、青色光のみを反射するダイクロイックミラー３０８、集光レンズ３１０、３１１、３１２、３１３および３１４を有している。
液晶ライトバルブ８５は、液晶パネル１６と、液晶パネル１６の入射面側に接合された第１の偏光板（図示せず）と、液晶パネル１６の出射面側に接合された第２の偏光板（図示せず）とを有している。液晶ライトバルブ８４および８６も、液晶ライトバルブ８５と同様の構成をなしている。これら液晶ライトバルブ８４、８５および８６の各液晶パネル１６は、それぞれ、図示しない駆動回路にそれぞれ接続されている。
なお、このプロジェクター３００では、液晶ライトバルブ８４、８５、８６および駆動回路により、光源装置１から出射した光を画像情報に基づいて変調する変調装置の主要部が構成され、投射レンズ８２により、その変調装置により変調された光を投射する投射装置の主要部が構成される。
【００６３】
次に、プロジェクター３００の作用を説明する。
まず、光源装置１から出射した白色光（白色光束）は、インテグレータレンズ３０２および３０３を透過する。この白色光の光強度（輝度分布）は、インテグレータレンズ３０２および３０３により均一化される。
インテグレータレンズ３０２および３０３を透過した白色光は、ミラー３０４で図７中左側に反射し、その反射光のうちの青色光（Ｂ）および緑色光（Ｇ）は、それぞれダイクロイックミラー３０５で図７中下側に反射し、赤色光（Ｒ）は、ダイクロイックミラー３０５を透過する。
ダイクロイックミラー３０５を透過した赤色光は、ミラー３０６で図７中下側に反射し、その反射光は、集光レンズ３１０により整形され、赤色用の液晶ライトバルブ８４に入射する。
【００６４】
ダイクロイックミラー３０５で反射した青色光および緑色光のうちの緑色光は、ダイクロイックミラー３０７で図７中左側に反射し、青色光は、ダイクロイックミラー３０７を透過する。
ダイクロイックミラー３０７で反射した緑色光は、集光レンズ３１１により整形され、緑色用の液晶ライトバルブ８５に入射する。
また、ダイクロイックミラー３０７を透過した青色光は、ダイクロイックミラー３０８で図７中左側に反射し、その反射光は、ミラー３０９で図７中上側に反射する。前記青色光は、集光レンズ３１２、３１３および３１４により整形され、青色用の液晶ライトバルブ８６に入射する。
【００６５】
このように、光源装置１から出射した白色光は、色分離光学系により、赤色、緑色および青色の三原色に色分離され、それぞれ、対応する液晶ライトバルブ８４、８５および８６に導かれ、入射する。
この際、液晶ライトバルブ８４の液晶パネル１６の各画素は、赤色用の画像信号に基づいて作動する駆動回路により、スイッチング制御（オン／オフ）され、また、液晶ライトバルブ８５の液晶パネル１６の各画素は、緑色用の画像信号に基づいて作動する駆動回路により、スイッチング制御され、また、液晶ライトバルブ８６の液晶パネル１６の各画素は、青色用の画像信号に基づいて作動する駆動回路により、スイッチング制御される。
これにより、赤色光、緑色光および青色光は、それぞれ、液晶ライトバルブ８４、８５および８６で変調され、赤色用の画像、緑色用の画像および青色用の画像がそれぞれ形成される。
【００６６】
前記液晶ライトバルブ８４により形成された赤色用の画像、すなわち液晶ライトバルブ８４からの赤色光は、入射面８１３からダイクロイックプリズム８１に入射し、ダイクロイックミラー面８１１で図７中左側に反射し、ダイクロイックミラー面８１２を透過して、出射面８１６から出射する。
また、前記液晶ライトバルブ８５により形成された緑色用の画像、すなわち液晶ライトバルブ８５からの緑色光は、入射面８１４からダイクロイックプリズム８１に入射し、ダイクロイックミラー面８１１および８１２をそれぞれ透過して、出射面８１６から出射する。
また、前記液晶ライトバルブ８６により形成された青色用の画像、すなわち液晶ライトバルブ８６からの青色光は、入射面８１５からダイクロイックプリズム８１に入射し、ダイクロイックミラー面８１２で図７中左側に反射し、ダイクロイックミラー面８１１を透過して、出射面８１６から出射する。
【００６７】
このように、前記液晶ライトバルブ８４、８５および８６からの各色の光、すなわち液晶ライトバルブ８４、８５および８６により形成された各画像は、ダイクロイックプリズム８１により合成され、これによりカラー画像が形成される。この画像は、投射レンズ８２により、所定の位置に設置されているスクリーン３２０上に投影（拡大投射）される。
以上説明したように、このプロジェクター３００によれば、前述した光源装置１を有しているので、消費電力を低減でき、また、安定した良好な画像を表示することができる。
【符号の説明】
【００６８】
１…光源装置  ３１…直流電流発生器  ３２…極性切替器  ３３…制御部  ３５…検出器  ４１…第１の交流電流供給区間  ４２…第２の交流電流供給区間  ４３、４４…区間  ５…冷却手段  ５１…送風機  ５２…チューブ  ５３…ノズル  １１０…光源ユニット  １１２…主反射鏡  １１４…平行化レンズ  １１６…無機接着剤  ２００…放電灯駆動装置  ５００…放電灯  ５１０…放電灯本体  ５１１…発光容器  ５１２…放電空間  ５２０…副反射鏡  ５２２…無機接着剤  ６１０、７１０…電極  ６１２、７１２…芯棒  ６１４、７１４…コイル部  ６１６、７１６…本体部  ６１８、７１８…突起  ６２０、７２０…接続部材  ６３０、７３０…電極端子  １６…液晶パネル  ８１…ダイクロイックプリズム  ８１１、８１２…ダイクロイックミラー面  ８１３〜８１５…入射面  ８１６…出射面  ８２…投射レンズ  ８４〜８６…液晶ライトバルブ  ３００…プロジェクター  ３０２、３０３…インテグレータレンズ  ３０４、３０６、３０９…ミラー  ３０５、３０７、３０８…ダイクロイックミラー  ３１０〜３１４…集光レンズ  ３２０…スクリーン  Ｓ１０１〜Ｓ１１０…ステップ
【図１】
2013125698.tif 000003
【図２】
2013125698.tif 000004
【図３】
2013125698.tif 000005
【図４】
2013125698.tif 000006
【図５】
2013125698.tif 000007
【図６】
2013125698.tif 000008
【図７】
2013125698.tif 000009